(57)【要約】【課題】広い植物栽培用ハウス内を空調するのに好適な農事用空気調和装置を提供する。【解決手段】ビニールハウス内に設置された室内機５０と、該室内機５０に冷媒配管で接続された室外機１０とを備え、室内機５０は、送風ファン及び室内熱交換器を収容するケースを備え、このケースの背面には、室内熱交換器を露出させる背面開口部１８が形成され、ケースの前面には、送風ファンにより背面開口部１８から吸い込んで室内熱交換器を通過した調和空気を吹き出す前面開口部が形成され、この前面開口部にはフレキシブルダクト６１が取り付けられる。【選択図】図１
2010038500.tif 000002
【特許請求の範囲】
【請求項１】
植物栽培用ハウス内に設置された室内機と、
該室内機に冷媒配管で接続された室外機とを備え、
前記室内機は、送風ファン及び室内熱交換器を収容するケースを備え、このケースの背面には、前記室内熱交換器を露出させる背面開口部が形成され、前記ケースの前面には、前記送風ファンにより前記背面開口部から吸い込んで前記室内熱交換器を通過した調和空気を吹き出す前面開口部が形成され、この前面開口部には、前記前面開口部から吹き出す調和空気が通るフレキシブルダクトが取り付けられていることを特徴とする農事用空気調和装置。
【請求項２】
前記ケースの前面には、複数の前記前面開口部が間隔を空けて形成され、各前面開口部に前記フレキシブルダクトが各々取り付けられていることを特徴とする請求項１に記載の農事用空気調和装置。
【発明の詳細な説明】
【技術分野】
【０００１】
本発明は、植物等の栽培に用いられる植物栽培用ハウス（温室やビニールハウス等）内を空調するための農事用空気調和装置に関する。
【背景技術】
【０００２】
従来、農業用の植物栽培用ハウス内を暖めるためのものとして、温室ボイラーを用いたものが知られている。この温室ボイラーは、重油を燃焼させて植物栽培用ハウス内を暖めるものである。また、ボイラーを用いずに暖める方法としては、電気を用いて空調運転を行う農事用空気調和装置を用いる方法が考えられる。
ところで、農事用ではないが厨房又は工場向けの空気調和装置には、下面の外装パネルに空気吸込口を形成し、前面の外装パネル中央に吹出口を形成し、この吹出口左右に、スポット空調用のダクトを接続するダクト吹出口を形成したものがある（例えば、特許文献１参照）。
【特許文献１】特許第２６９８０８７号公報
【発明の開示】
【発明が解決しようとする課題】
【０００３】
一般に農事用空気調和装置が対象とするビニールハウスは、作付面積を広く確保することでより多くの植物を栽培することが望まれており、通常の空調機が対象とする居室空間の床面積と比較して広い。このため、広い空間を均質に空調するためにダクトを使用したい場合が考えられる。
しかしながら、上述した厨房又は工場向けの空気調和装置は、天井設置の構成であるため、比較的脆弱なビニールハウスに設置するのに適さない。また、下面から空気を吸い込んで前面左右から排出する構成であるため、装置内の通風路が屈曲して空気抵抗が比較的多くなってしまうと共に熱交換器のレイアウトスペースが制約され、送風量及び熱交換能力が制約される等の農事用空気調和装置に適用さない様々な問題がある。
【０００４】
そこで、本発明の目的は、広い植物栽培用ハウス内を空調するのに好適な農事用空気調和装置を提供することにある。
【課題を解決するための手段】
【０００５】
上述した課題を解決するため、本発明は、植物栽培用ハウス内に設置された室内機と、該室内機に冷媒配管で接続された室外機とを備え、前記室内機は、送風ファン及び室内熱交換器を収容するケースを備え、このケースの背面には、前記室内熱交換器を露出させる背面開口部が形成され、前記ケースの前面には、前記送風ファンにより前記背面開口部から吸い込んで前記室内熱交換器を通過した調和空気を吹き出す前面開口部が形成され、この前面開口部には、前記前面開口部から吹き出す調和空気が通るフレキシブルダクトが取り付けられていることを特徴とする農事用空気調和装置を適用する。
【０００６】
また本発明は、上記農事用空気調和装置において、複数の前記前面開口部が間隔を空けて形成され、各前面開口部に前記フレキシブルダクトが各々取り付けられていることを特徴とする。
【発明の効果】
【０００７】
本発明によれば、植物栽培用ハウス内に設置された室内機と、該室内機に冷媒配管で接続された室外機とを備え、前記室内機は、送風ファン及び室内熱交換器を収容するケースを備え、このケースの背面には、前記室内熱交換器を露出させる背面開口部が形成され、前記ケースの前面には、前記送風ファンにより前記背面開口部から吸い込んで前記室内熱交換器を通過した調和空気を吹き出す前面開口部が形成され、この前面開口部には、前記前面開口部から吹き出す調和空気が通るフレキシブルダクトが取り付けられているので、送風能力そのものを高めることができ、かつ、フレキシブルダクトにより植物栽培に適した温度環境を効率よくつくることが可能になる。
【発明を実施するための最良の形態】
【０００８】
以下、図面を参照して本発明の実施形態を詳述する。
図１は、植物等の栽培に用いられるビニールハウス（植物栽培用ハウス）１内に本実施形態に係る農事用空調機（農事用空気調和装置）６を設置した状態を示す概要図である。
ビニールハウス１は、外側空間２と内側空間３とを仕切る外壁４によって温室として区画されており、その内部を所定の温度に維持することで植物５の栽培を促進させる。この外壁４には、断熱性に優れた合成樹脂等が使用される。
【０００９】
このビニールハウス１には、内側空間３内を所定の温度に維持するために、複数（本実施例では２台）の農事用空調機６が設置されている。この農事用空調機６は、ビニールハウス１の外側空間２に設置される室外機１０と、内側空間３内に設置される室内機５０とを備え、室外機１０及び室内機５０は、ビニールハウス１の外壁４を貫通する態様で配管された冷媒配管７によって配管接続されている。
【００１０】
図２は、農事用空調機６に使用される室外機１０の外観を示す斜視図である。また、図３は、室外機１０のユニットケース１１内に収容される機器の構成を示す分解斜視図である。
この室外機１０は、図２に示すように、略直方体箱形状のユニットケース１１を備えている。このユニットケース１１は、底板１２、天板１３、左側前面パネル１４ａ、右側前面パネル１４ｂ、及び、外板１５によって構成されている。左側前面パネル１４ａの内側には、後述する２つの送風ファン３４、３４が上下に並設されており、このパネル１４ａの前面には、送風ファン３４、３４の各々に対応する前面開口部（吹出口として機能する開口部）１６、１６が形成され、この前面開口部１６、１６は、ファンガード１７、１７で覆われている。
【００１１】
ユニットケース１１の内部は、図３に示す仕切板３１によって左右の室に画成されている。その左側の室は、室外熱交換器３２が収容された熱交換室３５として使用され、右側の室は機械室４０として使用される。機械室４０には、その下側に配置される圧縮機４１と、この圧縮機４１の近傍に配置されるアキュムレータ４４等の冷媒回路を構成する機器が収容されている。また、機械室４０の下方には、電装ボックス４７が配設されている。この電装ボックス４７には、室外機１０の各部に電源を供給する電源トランス４８等が収容されている。さらに、機械室４０には、室外熱交換器３２から延在し、冷媒配管を接続するための配管接続部３８が配設されている。
【００１２】
室外熱交換器３２は、図３に示すように、平面視で略Ｌ字形状に屈曲する形状に形成されており、この室外熱交換器３２の短手部分３２ａが熱交換室３５の左側面に沿い、かつ、室外熱交換器３２の長手部分３２ｂが熱交換室３５の背面に沿うようにユニットケース１１に組み付けられる。ここで、ユニットケース１１の側面及び背面（より具体的には熱交換室３５の側面及び背面の略全体）には、側面から背面にかけて開口する背面開口部（吸込口として機能する開口部）１８が形成されており、この背面開口部１８から室外熱交換器３２が外部に表出（露出）する。また、この背面開口部１８には、空気を流通自在な網状板部材であるフィンガード１９が取り付けられ、このフィンガード１９により室外熱交換器３２のフィンが外側から覆われる。
このように室外熱交換器３２をユニットケース１１の左側面及び背面から露出（表出）させることで、外気との接触面積を広く確保し、熱交換率を高めることができる。また、本構成では、室外熱交換器３２をユニットケース１１のケース高さと略同高さに形成しており、これにより、ユニットケース１１の左側面及び背面にて上下に渡って室外熱交換器を露出させ、ユニットケース１１全体に占める熱交換面積をより広く確保することができる。
【００１３】
また、ユニットケース１１には、室外熱交換器３２と左側前面パネル１４ａとの間に上下に延出するモータ台４６が取り付けられ、このモータ台４６に室外機１０内の空気を前面開口部１６、１６を通してケース前面に強制排気する２個の送風ファン３４が取り付けられている。この場合、送風ファン３４、３４を駆動するファンモータ３３、３３は、モータ台４６に対しそのモータ軸をケース前面に向けて上下一列に配列され、電源トランス４８から電源供給を受けて回転する。
すなわち、送風ファン３４、３４を駆動した場合、ユニットケース１１の背面開口部１８から外気が吸い込まれ、室外熱交換器３２を通過して熱交換され、この熱交換された空気が、ユニットケース１１の前面開口部１６、１６から各々排出される。本構成では、送風ファン３４、３４を上下に配置したため、上方の送風ファン３４により上方空気の強制排気を行い、下方の送風ファン３４により下方空気の強制排気を行うことで、室外熱交換器３２における熱交換が強制的に促進され、さらに、機械室４０に収容される圧縮機４１や電源トランス４８等から発せられる熱が、室外機１０の外部へ放出される。また、これらの送風ファン３４は、プロペラファン型が適用され、モータ容量が同一の場合のシロッコファンと比較して送風能力を高くすることができる。
【００１４】
また、この室外機１０は屋外に設置される仕様であるため、ユニットケース１１は雨水等に曝されても運転に影響が生じない防水構造になっている。また、内部に収容されるファンモータ３３、３３や電装ボックス４７も防水構造になっている。
【００１５】
この室外機１０の外形状は、空気を取り込む後面の面積をできるだけ広く確保するために、室外機１０の奥行き方向の長さよりも幅方向の長さが長くなるように構成されている。また、背面の全面を室外熱交換器３２で構成（背面から表出）しているので、室外熱交換器３２を室外機１０の内部に内包させる構造と比較して、奥行き方向を短くしており、奥行き方向での設置面積が大きくならないように構成されている。
【００１６】
また、室外機１０は、居室空間を空調する汎用の空調機に使用される室外機と略同一（少なくとも主要部品である、室外熱交換器３２、ユニットケース１１、圧縮機４１、アキュムレータ４４、ファンモータ３３、送風ファン３４、及び電装ボックス４７が同一）のものが使用されている。すなわち、この室外機１０は、汎用の空調機にも、農事用空調機６にも同じ構成で使用することが可能であり、汎用の室外機と共通化することで、農事用空調機６としてのトータルコストを抑えることができるようにしている。
【００１７】
図４は、農事用空調機６に使用される室内機５０を示す図である。また、図５は室内機５０の平面図である。
この室内機５０は、上述した室外機１０（すなわち、汎用の空調機に使用される室外機と同一の室外機）と使用可能な部品の共通化（少なくとも主要部品である、室内熱交換器５２（室外熱交換器３２と同一）、ユニットケース１１、ファンモータ３３、送風ファン３４が同一）が図られたものであり、その外観構成及び外観形状は室外機１０（図２参照）と略同じである。以下の説明では、室内機５０に使用される部品であって室外機１０の部品と同じ部品については同一の符号を付して説明する。
【００１８】
室内機５０は、防水構造を備えたユニットケース１１を備え、その内部は、室外機１０と同様に仕切板３１によって左右の室に画成されている。左側の室は、室内熱交換器５２（室外熱交換器３２と同じ部品）が収容された熱交換室５３であり、右側の室は機械室５４である。機械室５４の上部には、防水構造の電装ボックス５６が配設されている。また、機械室５４には、室内熱交換器５２から延在し、冷媒配管を接続するための配管接続部５８が配設されている。なお、図４では、説明の便宜上、右側前面パネル１４ｂ、天板１３及びフィンガード１９を取り外した状態を示している。
【００１９】
室内熱交換器５２は、室外熱交換器３２と同一部品が適用され、上記と同様に平面視略Ｌ字形状に屈曲する態様で形成されており、室内熱交換器５２の短手部分５２ａが熱交換室５３の左側面に沿い、かつ、室内熱交換器５２の長手部分５２ｂが熱交換室５３の背面に沿うようにユニットケース１１に組み付けられる。また、このユニットケース１１にも、ユニットケース１１の側面及び背面にかけて開口する背面開口部１８が形成されており、室内熱交換器５２がユニットケース１１に組み付けられた状態で、この背面開口部１８から室外熱交換器３２が外部に表出（露出）する。
すなわち、室内熱交換器５２が、ユニットケース１１の左側面及び背面から露出することで、外気（ハウス１内の空気）との接触面積を広く確保し、熱交換効率を高めることができると共に、室内機５０の空気吸込口（＝背面開口部１８）を広く確保することができる。また、室内熱交換器５２と室外熱交換器３２とが共通で同一形状かつ同一サイズとなるため、室内と室外とで熱交換量のバランスをとりやすくなり、エネルギー消費効率の向上に有利なレイアウトにすることができる。
【００２０】
また、室内機５０のユニットケース１１にも、室内熱交換器５２に近接して設けられたファンモータ３３、３３、プロペラファン型の送風ファン３４、３４がモータ台４６を介して室外機１０と同じ構造で取り付けられ、この送風ファン３４、３４の各々に対応する前面開口部（吹出口として機能する開口部）１６、１６が形成されている。
これら２個のファンモータ３３、３３は、それぞれ電装ボックス５６から電源供給を受けて回転し、送風ファン３４、３４を駆動する。この送風ファン３４、３４を駆動した場合には、ユニットケース１１の背面開口部１８から外気が吸い込まれ、室内熱交換器５２を通過して熱交換され、この熱交換された空気（調和空気とも言う）が、ユニットケース１１の前面開口部１６、１６から各々排出される。この室内機５０でも、送風ファン３４、３４を上下に配置したため、室外熱交換器３２における熱交換を効率よく行うことができ、また、ユニット内の通風路を直線にでき、かつ、送風ファン３４、３４をプロペラファン型としているため、モータ容量が同一の場合のシロッコファンと比較して送風能力を高くすることができる。
【００２１】
また、本構成の室内機５０には、ユニットケース１１の前面開口部１６、１６にフレキシブルダクト６１、６１が各々取り付けられる（図４、図５参照）。フレキシブルダクト６１、６１は、自由に曲げたり伸び縮みしたりすることが可能なダクトであり、本実施形態では、丸型の前面開口部１６、１６と略同径の丸形ダクトが適用される。
このフレキシブルダクト６１、６１は、基端部にフランジ部６２、６２を有し、室内機５０のユニットケース１１には、フランジ部６２をねじ止めするための図示せぬねじ孔が形成され、フランジ部６２がユニットケース１１にねじで締結される。なお、図４では、フレキシブルダクト６１、６１を取り外した状態を示している。
このように室内機５０の前面開口部１６、１６にフレキシブルダクト６１、６１を接続することにより、室内熱交換器５２で熱交換された全調和空気をフレキシブルダクト６１、６１を通じてビニールハウス１内に供給することができる。このフレキシブルダクト６１、６１はその曲げ方向や長さに調整自由度があるため、調和空気の供給位置及び吹き出し方向の自由度を向上させることができる。
【００２２】
ところで、農事用空調機６が対象とするビニールハウス１は、作付面積を広く確保することでより多くの植物５を栽培することが望まれており、通常の空調機が対象とする居室空間の床面積と比較して広い。ゆえに、農事用空調機６は、広い空調空間を空気調和するのに適したものが要求される。一方、農事用空調機６の室内機５０は、居室空間（厨房又は工場を含む）に設置する室内機と比較して、その外観性や運転音の大きさは問題にならない。さらに、居室空間に設置する室内機と異なり、ハウス内で行われる散水等によって水がかかるため、防水構造にする必要がある。
【００２３】
そのため、居室空間に設置する室内機のように、下面や前面から室内空気を吸い込んで前面から吹き出す構造にして外観性を高める、といった必要がない。
また、下面や前面から空気を吸い込んで前面から吹き出す構造では、室内熱交換器の熱交換面積を大きくすることが困難である。すなわち、ユニットケースの外側に熱交換器を表出させる構造と異なり、ユニットケース内に室内熱交換器を内包するようにしなければならないため、熱交換器が小さくなってしまう。換言すれば、同一の熱交換面積を確保するためには、ユニットケースの外形状を大きくしなければならず、かつ、大きくするために農事用空調機６としての専用設計が必要となる。
さらに、送風ファンも、居室空間に設置するシロッコファンのように静音のものを使用しなくてもよく、音が多少大きくても多くの空気を吸い込み／吹き出すことのできる送風ファン３４を使用することが得策である。
さらにまた、室外機は防水構造で構成されているため、防水構造にするための専用設計を必要とせず、散水等によって室内機５０に水がかかっても問題はない。
【００２４】
そのため、室内機５０は、室外機１０の部品と可能な限り共通化することによって、背面開口部１８から吸い込んで前面から吹き出させる構造にして空気抵抗を少なくしてかつ熱交換面積を広く確保することができ、プロペラファン型の送風ファン３４を用いて送風能力を高めることができ、ユニットケース１１、電装ボックス５６、ファンモータ３３が元来の室外機１０で構成されている防水構造を有することができ、かつ、農事用空調機６の室内機５０に適用するために部品配置や防水構造等に関する専用設計を不要にすることができる。
【００２５】
また、室内機５０の前面開口部１６、１６にフレキシブルダクト６１、６１を接続したので、プロペラファン型の送風ファン３４で送風された大容量の調和空気をフレキシブルダクト６１、６１を通じて様々な位置及び吹き出し方向から吹き出させることができる。また、フレキシブルダクト６１、６１は地面に這わせたり、天井からつり下げたりと様々なレイアウトが可能であり、レイアウト自由度も高い。したがって、調和空気の最終的な吹出口の調整自由度が高くなり、温室ボイラーのような高温度の調和空気を吹き出すことが難しい電気を用いて空調する空調機でも、広い空調空間を効率よく空気調和でき、省エネを図りつつ、植物栽培に適した温度環境を迅速かつ適切につくることができる。
【００２６】
また、室内機５０は、室外機１０とユニットケース１１が共通化され、空気を取り込む後面の面積ができるだけ広くなるように確保されているために、室外機１０と同様に、幅方向の長さが長い。すなわち、室内機５０の奥行き方向の長さよりも幅方向の長さが長くなるように構成されている。また、後面の全面が室内熱交換器５２で構成されているので、居室空間に設置する室内機のように室内熱交換器５２を室内機５０の内部に収容する構造と比較して、室内機５０の奥行き方向が短くなるように構成されている。
【００２７】
なお、この室内機５０は室外機１０をベースにして共通化しているが、図４に示すように、室外機１０と異なり、圧縮機４１及びアキュムレータ４４は設けられていない。この圧縮機４１及びアキュムレータ４４は室外機１０内に設置されており、冷媒回路として室内機５０にさらに設ける必要がないためである。この場合、室内機５０は、圧縮機４１及びアキュムレータ４４を設置しない分だけ小型化することができるが、室外機１０と室内機５０との他の部品の共通化を図るために、同一のユニットケース１１を用いて同一の外側形状にしている。
【００２８】
また、この室内機５０の内部には、例えば、室内機５０と室外機１０との設置位置が近い場合には、これらの圧縮機４１及びアキュムレータ４４が設置されていないスペースに図示しないレシーバタンクを設置している。これにより、この空きスペースを有効に利用することができる。
【００２９】
次いで、農事用空調機６のフレキシブルダクト６１、６１の調整について説明する。図１に示すように、ビニールハウス１の内側空間３には、帯状に延びた列状の複数の栽培用スペース７０（例えば、畝）が、作業用通路の分の間隔を互いにあけて設けられている。そして、直方体形状のビニールハウス１内に２台の農事用空調機６を設置する場合、ビニールハウス１の４つの角部１ａ、１ｂ、１ｃ、１ｄのうち角部間の距離が最も長い角部１ｂ、１ｄの近傍に、各農事用空調機６の室内機５０、５０が設置される。なお、このレイアウトに代えて角部１ａ、１ｃ近傍に室内機５０、５０を設置してもよいことは勿論である。すなわち、２台の室内機５０がビニールハウス１内で対角線上に設置される。
【００３０】
対角線上（角部１ｂ、１ｄ近傍）に室内機５０、５０を設置した場合、図１に示すように、上面視では、角部１ｂ近傍に設置される室内機５０の上下一対のフレキシブルダクト６１が、対角（角部１ｄ側）に向けてレイアウトされ、同様に、角部１ｄ近傍に設置される室内機５０の上下一対のフレキシブルダクト６１が、対角（角部１ｂ側）に向けてレイアウトされる。これにより、室内機５０、５０をビニールハウス１の外壁４に背面を沿わせて近接配置した場合でも、上面視で、各室内機５０、５０からビニールハウス１の中心に向けて調和空気を吹き出し、上面視（水平視）での室内温度の偏りをなくすことができる。
また、側面視では、図６に示すように、室内機５０、５０の上側のフレキシブルダクト６１が若干上向きとされ、下側のフレキシブルダクト６１が地面の上などに引き回されて地面近傍に調和空気を吹き出す。これにより、ビニールハウス１の上方空間と下方空間とに調和空気を吹き出し、上下方向の室内温度の偏りもなくすことができる。これにより、ビニールハウス１の内側空間３を均質に空調することができる。
【００３１】
また、ビニールハウス１内では、植物５や栽培方法に応じて栽培高さを変える場合があり、大略すると、地面近傍で植物５を育てる場合（例えば、キュウリや大根、レタス）と、人の腰の高さ程度の栽培台で植物５を育てる場合（例えば、苺）と、人の頭上程度の高さの植物栽培棚で植物５を育てる場合（例えば、葡萄、梨、林檎などの蔓性低木の植物）とがある。
本構成では、このような植物５の栽培高さに合わせてフレキシブルダクト６１の向き及び長さを調整して、植物５の栽培に適した所望の温度分布環境をつくることも可能である。具体的には、地面近傍で植物５を育てる場合には、地面近傍の温度分布を適切にするフレキシブルダクト６１の向き及び長さに調整し、人の腰の高さ程度で植物５を育てる場合には、人の腰の高さ程度の高さを基準に温度分布を適切にするフレキシブルダクト６１の向き及び長さに調整し、人の頭上程度の高さで植物５を育てる場合には、人の頭上程度の高さを基準に温度分布を適切にするフレキシブルダクト６１の向き及び長さに調整し、といった具合である。
【００３２】
以上説明したように、本実施形態によれば、室内機５０を、背面開口部１８から吸い込んで前面開口部１６、１６から吹き出させる構造にし、送風ファン３４をプロペラファン型にすることで、送風能力そのものを高めることができ、かつ、前面開口部１６、１６から吹き出す調和空気が通るフレキシブルダクト６１を取り付けたので、このフレキシブルダクト６１によりビニールハウス１内を均質にもスポット的にも空調することができ、植物栽培に適した温度環境を効率よくつくることが可能になる。
しかも、フレキシブルダクト６１を備えるため、室内機５０の前面開口部１６、１６の向きが制約されず、図１に示すように、室内機５０をビニールハウス１の外壁４に近接配置しても適切な温度環境をつくることができ、室内機５０の配置自由度を向上することができる。また、ビニールハウス１の空間が幅広であったり、天井高であったりした場合でも、この空間に合わせてフレキシブルダクト６１の向き、長さを変更することで、適切な温度環境を効率よくつくることができる。また、栽培する植物５の種類を代えて栽培高さが変わった場合でも、室内機５０のレイアウトを変更する必要もない。
なお、室内機５０からフレキシブルダクト６１を取り外した場合には、室内機５０のユニットケース１１のねじ孔を利用して、室外機１０と同様のファンガード１７、１７を取り付けることが可能である。
【００３３】
以上、本発明を実施するための最良の形態について述べたが、本発明は既述の実施形態に限定されるものではなく、本発明の技術思想に基づいて各種の変形及び変更が可能である。例えば、本実施の形態では、植物栽培用ハウスとしてビニールハウス１を用いているが、ビニールハウス１以外のガラスハウスなどを用いてもよく、公知の植物栽培用ハウスを空調する農事用空気調和装置に本発明を広く適用することができる。
【００３４】
また、本実施の形態では、圧縮機４１及びアキュムレータ４４を室外機１０側に設置し、室内機５０には設置しないように構成しているが、逆であってもかまわない。すなわち、室内機５０側に圧縮機４１及びアキュムレータ４４を配置し、室外機１０側には設置しないように構成することができる。本来、圧縮機４１は、動作音が発生するため、居室空間ではない外側に配置される室外機に設置するものである。しかし、このように構成された農事用空調機６の場合には、内側空間３の静音性は要求されず、かえって夜間の運転中の外側空間２の音を小さくしたい場合があり、このような場合に優れた効果を奏する。
なお、この場合において、レシーバタンクを設置する場合には、圧縮機４１及びアキュムレータ４４が設置されていない室内機５０側に配置することで、室内機５０内のスペースを有効に利用することができる。
【００３５】
さらに、本実施の形態では、内側空間３の空気を室内機５０で取り込んでいるが、外側空間２の空気を室内機で取り込むようにして、強制的に内側空間３に空調後の空気を送り込むようにすることもできる。
また、本実施形態では、ビニールハウス１の中に、２台の室内機５０を配置したが、これに限らず、ビニールハウス１の容積が小さい場合には、一台の室内機５０だけ設置する構成としてもよく、ビニールハウス１の容積が大きい場合には、多数台の室内機５０（この場合、室外機１０も多数台）を設置する構成としてもよい。
【図面の簡単な説明】
【００３６】
【図１】植物等の栽培に用いられるビニールハウス内に農事用空調機を設置した状態を示す概要図である。
【図２】農事用空調機に使用される室外機の外観斜視図である。
【図３】室外機のユニットケース内に収容される機器の構成を示す分解斜視図である。
【図４】農事用空調機に使用される室内機を示す斜視図である。
【図５】室内機の平面図である。
【図６】室内機のフレキシブルダクトの調整を説明するための図である。
【符号の説明】
【００３７】
１  ビニールハウス（植物栽培用ハウス）
２  外側空間
３  内側空間
４  外壁
５  植物
６  農事用空調機（農事用空気調和装置）
７  冷媒配管
１０  室外機
１１  ユニットケース
１６  前面開口部
１８  背面開口部
３２  室外熱交換器
３４  送風ファン
５０  室内機
５２  室内熱交換器
６１  フレキシブルダクト
【図１】
2010038500.tif 000003
【図２】
2010038500.tif 000004
【図３】
2010038500.tif 000005
【図４】
2010038500.tif 000006
【図５】
2010038500.tif 000007
【図６】
2010038500.tif 000008